(57)【要約】  【課題】  ディスク識別精度を高めることにより、初めて再生する光ディスクに対する再生環境情報を光ディスク毎に確実に設定することができるようにし、光ディスクを入れ替える度に再生環境情報を設定する手間を省くことができる光ディスク再生装置を提供する。  【解決手段】  バーコードが記入されたＤＶＤを装置に挿入すると、全タイトル数と全チャプター数とバーコードが読み取られ、当該ＤＶＤの個別番号が認識され、メモリに記憶される。この後、好みの再生環境でＤＶＤを再生させたいため、再生環境情報を装置に対して設定し、再生環境情報はメモリに記憶される。当該ＤＶＤの２回目の再生を行う際、全タイトル数と全チャプター数とバーコードが読み取られ、メモリに前回記憶された個別番号と一致した場合、前回記憶されている再生環境情報に従った再生環境で再生が行われる。【選択図】      図１０
2005190578.tif 000002
【特許請求の範囲】
【請求項１】
光ディスクに記録された情報を再生する光ディスク再生装置において、光ディスクと略
同形状であり、光ディスクの中央の透明部分に対向した部分が透明となっており、この透
明部分の半径方向に延びた長方形状の穴が周方向に所定間隔で複数個形成された型枠を、
光ディスクの記録面とは反対の面に張り付け、前記長方形状の穴のうち選択された穴に黒
色を塗って、光ディスクを識別するためのバーコードが記入された光ディスクに対して、
前記バーコードを光学的に読み取るために、前記透明部分を照射する発光素子と、前記透
明部分を通過した光を受光する受光素子とを設け、前記光ディスクがＤＶＤであり、この
ＤＶＤに対して初めて再生する際に、ディスク情報から全タイトル数を読み取るタイトル
数読取手段と、ディスク情報から全チャプター数を読み取るチャプター数読取手段と、前
記光ディスクがＣＤであり、このＣＤに対して初めて再生する際に、ディスク情報から全
トラック数を読み取るトラック数読取手段と、ディスク情報から全再生時間を読み取る再
生時間読取手段と、前記ＤＶＤまたは前記ＣＤの記録情報を再生する際に、前記受光素子
からの信号によりバーコードを読み取るバーコード読取手段と、前記光ディスクがＤＶＤ
である場合に、前記タイトル数読取手段により読み取られた全タイトル数と前記チャプタ
ー数読取手段により読み取られた全チャプター数と前記バーコード読取手段により読み取
られたバーコードとに基づいて当該ＤＶＤの識別情報を認識すると共に、前記光ディスク
がＣＤである場合に、前記トラック数読取手段により読み取られた全トラック数と前記再
生時間読取手段により読み取られた全再生時間と前記バーコード読取手段により読み取ら
れたバーコードとに基づいて当該ＣＤの識別情報を認識するディスク認識手段と、当該光
ディスクに対して初めて再生を行う際に、ユーザにより設定された再生環境に関する再生
環境情報と前記ディスク認識手段により認識された結果の当該光ディスクの識別情報とを
記憶手段に記憶させる記憶処理手段と、当該光ディスクに対して２回目以降の再生を行う
際に、前記ディスク認識手段により識別された結果の識別情報と前記記憶手段に記憶され
ている識別情報とが一致するか否かを判定する識別情報判定手段と、前記判定結果が両識
別情報の一致を示す場合に前記記憶手段から前記識別情報に対応する再生環境情報を読み
出して当該光ディスクに対する２回目以降の再生環境情報として設定する再生環境情報設
定手段とを有するシステムコントローラを備えたことを特徴とする光ディスク再生装置。
【請求項２】
光ディスクに記録された情報を再生する光ディスク再生装置において、光ディスクと略
同形状であり、光ディスクの中央の透明部分に対向した部分が透明となっており、この透
明部分の半径方向に延びた長方形状の穴が周方向に所定間隔で複数個形成された型枠を、
光ディスクの記録面とは反対の面に張り付け、前記長方形状の穴のうち選択された穴に黒
色を塗って、光ディスクを識別するためのバーコードが記入された光ディスクに対して、
初めて再生する際に、記録情報の内容を判別するために用いることが可能な内容判別情報
をディスク情報から読み取ると共に前記バーコードを光学的に読み取り、前記内容判別情
報と前記バーコードとを記憶手段に記憶させると共に、ユーザにより設定された再生環境
情報を前記記憶手段に記憶させ、当該光ディスクに対して２回目以降の再生を行う際に、
当該光ディスクから読み出された内容判別情報および当該型枠のバーコードと前記記憶手
段に記憶されている内容判別情報およびバーコードとがそれぞれ一致した場合に、前記記
憶手段から再生環境情報を読み出して当該光ディスクに対する２回目以降の再生設定情報
として設定するシステムコントローラを備えたことを特徴とする光ディスク再生装置。
【請求項３】
前記内容判別情報とは、光ディスクがＤＶＤであった場合、全タイトル数および全チャ
プター数を含む情報であり、光ディスクがＣＤであった場合、全トラック数および全再生
時間を含む情報であることを特徴とする請求項２に記載の光ディスク再生装置。
【請求項４】
前記バーコードを光学的に読み取るために、前記透明部分を照射する発光素子と、前記
透明部分を通過した光を受光する受光素子とを設けたことを特徴とする請求項２に記載の
光ディスク再生装置。
【請求項５】
前記システムコントローラは、前記光ディスクがＤＶＤであり、このＤＶＤに対して初
めて再生する際に、ディスク情報から全タイトル数を読み取るタイトル数読取手段と、デ
ィスク情報から全チャプター数を読み取るチャプター数読取手段と、前記光ディスクがＣ
Ｄであり、このＣＤに対して初めて再生する際に、ディスク情報から全トラック数を読み
取るトラック数読取手段と、ディスク情報から全再生時間を読み取る再生時間読取手段と
、前記ＤＶＤまたは前記ＣＤの記録情報を再生する際に、前記受光素子からの信号により
バーコードを読み取るバーコード読取手段と、前記光ディスクがＤＶＤである場合に、前
記タイトル数読取手段により読み取られた全タイトル数と前記チャプター数読取手段によ
り読み取られた全チャプター数と前記バーコード読取手段により読み取られたバーコード
とに基づいて当該ＤＶＤの識別情報を認識すると共に、前記光ディスクがＣＤである場合
に、前記トラック数読取手段により読み取られた全トラック数と前記再生時間読取手段に
より読み取られた全再生時間と前記バーコード読取手段により読み取られたバーコードと
に基づいて当該ＣＤの識別情報を認識するディスク認識手段と、当該光ディスクに対して
初めて再生を行う際に、ユーザにより設定された再生環境に関する再生環境情報と前記デ
ィスク認識手段により識別された結果の当該光ディスクの識別情報とを記憶手段に記憶さ
せる記憶処理手段と、当該光ディスクに対して２回目以降の再生を行う際に、前記ディス
ク認識手段により認識された結果の識別情報と前記記憶手段に記憶されている識別情報と
が一致するか否かを判定する識別情報判定手段と、前記判定結果が両識別情報の一致を示
す場合に前記記憶手段から前記識別情報に対応する再生環境情報を読み出して当該光ディ
スクに対する２回目以降の再生環境情報として設定する再生環境情報設定手段とを有する
ことを特徴とする請求項２に記載の光ディスク再生装置。
【発明の詳細な説明】
【技術分野】
【０００１】
本発明は、ＤＶＤ（デジタル・バーサタイル・ディスク）やＣＤ（コンパクト・ディス
ク）などの光ディスクに記録された情報を再生する光ディスク再生装置に関し、特に、ユ
ーザにより設定された再生環境情報を記憶できる機能を有する光ディスク再生装置に関す
る。
【背景技術】
【０００２】
従来から光ディスク再生装置では、ユーザは、操作部を操作して、再生に関する再生環
境情報を設定している。例えば、ＤＶＤに記録されている映画を再生する場合には、ユー
ザは、映像に関する画質調整やブライト調整あるいは字幕の言語（例えば日本語または英
語）の選択を行うと共に、音声に関する音質調整や音量調整あるいは発声言語の選択を行
い、また、ＣＤに記録されている音楽を再生する場合には、ユーザは、聴きたい音楽の選
択、音声に関する音質調整や音量調整あるいは歌の発声言語の選択を行い、これらの再生
環境情報を個々の光ディスクの識別情報と共にメモリに記憶させた後、再生を開始させて
いる。
【０００３】
このような従来の光ディスク再生装置によれば、過去に一度再生したことがある光ディ
スクを再生する場合、前回においてユーザが設定した再生環境情報（メモリに記憶された
再生環境情報）に基づき、映像や音声を再生するので、前回と同じ再生環境で映像の再生
や音声の再生が行われる。
【特許文献１】特開平５−３０３８６８号公報
【特許文献２】特開平６−７６３６４号公報
【特許文献３】特開平７−１６９１７７号公報
【発明の開示】
【発明が解決しようとする課題】
【０００４】
ところで、このような従来の光ディスク再生装置においては、光ディスクがＤＶＤであ
った場合、当該ＤＶＤが挿入され、当該ＤＶＤを識別するのに、例えばディスク情報のタ
イトル数などが用いられるが、タイトル数が同じであり、内容も同じＤＶＤであれば、ユ
ーザにより前回設定された再生環境で再生しても良いが、今回のＤＶＤが、タイトル数が
前回のＤＶＤと同じで、内容が異なるものであった場合でも、前回と同じＤＶＤであると
認識され、前回設定された再生環境で再生されることになる。
【０００５】
したがって、このような従来の光ディスク再生装置では、光ディスクの識別精度が劣る
ため、光ディスクを入れ替える度に、ユーザが再生環境情報の設定をしなければならない
場合が多くなり、使い勝手が劣るという課題があった。例えば、ＤＶＤに記録された映画
を観るときや、ＣＤで音楽を聴くときも、光ディスクを入れ替える度に、日本語吹き替え
へ設定したり、お気に入りの曲だけプログラムするような再生環境情報を設定するのは、
かなり面倒であった。
【０００６】
なお、特許文献１の従来技術は、ユーザがデータ記録面と逆のディスク面に印を付ける
ことによってＣＤ上に記録された写真や向きや写真の無効を指示するためのものであり、
本件とは目的が異なり、上記のような課題を解決するためのものではない。また、特許文
献２の従来技術は、ディスク基板に情報管理用のマーキングを容易に形成するためのもの
であり、この従来技術も、本件とは目的が異なり、上記のような課題を解決するためのも
のではない。また、特許文献３の従来技術は、ドライブによる測定を必要とせず、情報を
読み出してドライブを高速化するためのものであり、この従来技術も本件とは目的が異な
り、上記のような課題を解決するためのものではない。
【０００７】
本発明は、上記のような課題を解決するためになされたもので、ディスク識別精度を高
めることにより、初めて再生する光ディスクに対する再生環境情報をディスク毎に確実に
設定することができるようにし、光ディスクを入れ替える度に再生環境情報を設定する手
間を省くことができる光ディスク再生装置を提供することを目的とする。
【課題を解決するための手段】
【０００８】
上記目的を達成するために、請求項１の発明は、光ディスクに記録された情報を再生す
る光ディスク再生装置において、光ディスクと略同形状であり、光ディスクの中央の透明
部分に対向した部分が透明となっており、この透明部分の半径方向に延びた長方形状の穴
が周方向に所定間隔で複数個形成された型枠を、光ディスクの記録面とは反対の面に張り
付け、前記長方形状の穴のうち選択された穴に黒色を塗って、光ディスクを識別するため
のバーコードが記入された光ディスクに対して、前記バーコードを光学的に読み取るため
に、前記透明部分を照射する発光素子と、前記透明部分を通過した光を受光する受光素子
とを設け、前記光ディスクがＤＶＤであり、このＤＶＤに対して初めて再生する際に、デ
ィスク情報から全タイトル数を読み取るタイトル数読取手段と、ディスク情報から全チャ
プター数を読み取るチャプター数読取手段と、前記光ディスクがＣＤであり、このＣＤに
対して初めて再生する際に、ディスク情報から全トラック数を読み取るトラック数読取手
段と、ディスク情報から全再生時間を読み取る再生時間読取手段と、前記ＤＶＤまたは前
記ＣＤの記録情報を再生する際に、前記受光素子からの信号によりバーコードを読み取る
バーコード読取手段と、前記光ディスクがＤＶＤである場合に、前記タイトル数読取手段
により読み取られた全タイトル数と前記チャプター数読取手段により読み取られた全チャ
プター数と前記バーコード読取手段により読み取られたバーコードとに基づいて当該ＤＶ
Ｄを識別すると共に、前記光ディスクがＣＤである場合に、前記トラック数読取手段によ
り読み取られた全トラック数と前記再生時間読取手段により読み取られた全再生時間と前
記バーコード読取手段により読み取られたバーコードとに基づいて当該ＣＤを識別するデ
ィスク認識手段と、当該光ディスクに対して初めて再生を行う際に、ユーザにより設定さ
れた再生環境に関する再生環境情報と前記ディスク認識手段により識別された結果の当該
光ディスクの識別情報とを記憶手段に記憶させる記憶処理手段と、当該光ディスクに対し
て２回目以降の再生を行う際に、前記ディスク認識手段により識別された結果の識別情報
と前記記憶手段に記憶されている識別情報とが一致するか否かを判定する識別情報判定手
段と、前記判定結果が両識別情報の一致を示す場合に前記記憶手段から前記識別情報に対
応する再生環境情報を読み出して当該光ディスクに対する２回目以降の再生環境情報とし
て設定する再生環境情報設定手段とを有するシステムコントローラを備えたことを特徴と
する光ディスク再生装置を提供する。
【０００９】
この構成において、光ディスクがＤＶＤであった場合、当該ＤＶＤに型枠を貼り付け、
選択した長方形状の穴に黒色を塗ってバーコードを記入する。これにより、当該ＤＶＤの
固有のバーコードが得られる。そして、このバーコードが記入されたＤＶＤを装置に挿入
し、再生処理を開始させると、ディスク情報から全タイトル数がタイトル数読取手段によ
り読み取られ、全チャプター数がチャプター数読取手段により読み取られる。更に、受光
素子からの信号を受信するバーコード読取手段によって、当該ＤＶＤのバーコードが読み
取られる。
【００１０】
それら読み取られた全タイトル数と全チャプター数とバーコードとに基づいて当該ＤＶ
Ｄの識別情報がディスク認識手段により認識され、全タイトル数と全チャプター数とバー
コードとは、当該ＤＶＤの識別情報として記憶処理手段により記憶手段に記憶される。こ
の後、ユーザは、好みの再生環境で当該ＤＶＤを再生させたいため、再生環境情報を装置
に対して設定する。このとき、その再生環境情報は記億処理手段により記憶手段に記憶さ
れる。このような処理により、当該ＤＶＤの本編再生開始までの処理が完了し、前記設定
された再生環境情報に従った再生環境によって当該ＤＶＤの本編再生が可能となる。
【００１１】
再生が終了した当該ＤＶＤを再び装置に挿入して再生を行う際、即ち、当該ＤＶＤの２
回目の再生を行う際、ディスク情報から全タイトル数がタイトル数読取手段により読み取
られ、全チャプター数がチャプター数読取手段により読み取られ、更に、当該ＤＶＤのバ
ーコードがバーコード読取手段により読み取られる。そして、それら読み取られた全タイ
トル数と全チャプター数とバーコードとに基づいて当該ＤＶＤの識別情報が、ディスク認
識手段により認識され、記憶手段に前回記憶された識別情報と一致するか否かが識別情報
判定手段により判定され、識別情報が一致した場合、再生環境情報設定手段は、記憶手段
に前回記憶されている再生環境情報を読み出し、この再生環境情報を当該ＤＶＤの再生を
行う際の再生環境情報として設定する。したがって、当該ＤＶＤの２回目の再生は、記憶
手段に前回記憶された再生環境情報に従った再生環境で行われる。また、当該ＤＶＤの３
回目以降の再生についても、同様に記憶手段に前回記憶された再生環境情報に従った再生
環境で行われる。
【００１２】
一方、光ディスクがＣＤであった場合、当該ＣＤに型枠を貼り付け、選択した長方形状
の穴に黒色を塗ってバーコードを記入する。これにより、当該ＣＤの固有のバーコードが
得られる。そして、このバーコードが記入されたＣＤを装置に挿入すると、ディスク情報
から全トラック数がトラック数読取手段により読み取られ、全再生時間が再生時間読取手
段により読み取られる。更に、受光素子からの信号を受信するバーコード読取手段によっ
て、当該ＣＤのバーコードが読み取られる。
【００１３】
それら読み取られた全トラック数と全再生時間とバーコードとは、当該ＣＤの識別情報
として記憶処理手段により記憶手段に記憶される。この後、ユーザは、好みの再生環境で
当該ＣＤを再生させたいため、再生環境情報を装置に対して設定する。このとき、その再
生環境情報は記億処理手段により記憶手段に記憶される。このような処理により、当該Ｃ
Ｄの本編再生開始までの処理が完了し、前記設定された再生環境情報に従った再生環境に
よって当該ＣＤの本編再生が可能となる。
【００１４】
再生が終了した当該ＣＤを再び装置に挿入して再生を行う際、即ち、当該ＣＤの２回目
の再生を行う際、ディスク情報から全トラック数がトラック数読取手段により読み取られ
、全再生時間が再生時間読取手段により読み取られ、更に、当該ＣＤのバーコードがバー
コード読取手段により読み取られる。そして、それら読み取られた全トラック数と全再生
時間とバーコードとに基づいて当該ＣＤの識別情報が、ディスク認識手段により認識され
、記憶手段に前回記憶された識別情報と一致するか否かが識別情報判定手段により判定さ
れ、識別情報が一致した場合、再生環境情報設定手段は、記憶手段に前回記憶されている
再生環境情報を読み出し、この再生環境情報を当該ＣＤの再生を行う際の再生環境情報と
して設定する。したがって、当該ＣＤの２回目の再生は、記憶手段に前回記憶された再生
環境情報に従った再生環境で行われる。また、当該ＣＤの３回目以降の再生についても、
同様に記憶手段に前回記憶された再生環境情報に従った再生環境で行われる。
【００１５】
この構成によれば、光ディスクがＤＶＤである場合は、全タイトル数および全チャプタ
ー数と、更に追加されたバーコードとに基づいて当該ＤＶＤの識別情報が認識され、光デ
ィスクがＣＤである場合は、全トラック数および全再生時間と、更に追加されたバーコー
ドとに基づいて当該ＣＤの識別情報が認識されるので、同じタイトル数および同じチャプ
ター数のＤＶＤであっても識別が可能で、また、同じトラック数および同じ再生時間のＣ
Ｄであっても識別が可能になり、これにより、ディスク識別精度が高まり、初めて再生す
る光ディスクに対する再生環境情報をディスク毎に確実に設定することができるようにな
り、光ディスクを入れ替える度に再生環境情報を設定する手間を省くことができる。
【００１６】
請求項２の発明は、光ディスクに記録された情報を再生する光ディスク再生装置におい
て、光ディスクと略同形状であり、光ディスクの中央の透明部分に対向した部分が透明と
なっており、この透明部分の半径方向に延びた長方形状の穴が周方向に所定間隔で複数個
形成された型枠を、光ディスクの記録面とは反対の面に張り付け、前記長方形状の穴のう
ち選択された穴に黒色を塗って、光ディスクを識別するためのバーコードが記入された光
ディスクに対して、初めて再生する際に、記録情報の内容を判別するために用いることが
可能な内容判別情報をディスク情報から読み取ると共に前記バーコードを光学的に読み取
り、前記内容判別情報と前記バーコードとを記憶手段に記憶させると共に、ユーザにより
設定された再生環境情報を前記記憶手段に記憶させ、当該光ディスクに対して２回目以降
の再生を行う際に、当該光ディスクから読み出された内容判別情報および当該型枠のバー
コードと前記記憶手段に記憶されている内容判別情報およびバーコードとがそれぞれ一致
した場合に、前記記憶手段から再生環境情報を読み出して当該光ディスクに対する２回目
以降の再生設定情報として設定するシステムコントローラを備えたことを特徴とする光デ
ィスク再生装置を提供する。
【００１７】
この構成において、光ディスクに型枠を貼り付け、選択した長方形状の穴に黒色を塗っ
てバーコードを記入する。これにより、当該光ディスクの固有のバーコードが得られる。
そして、このバーコードが記入された光ディスクを装置に挿入し、再生処理を開始させる
と、ディスク情報から内容判別情報が読み取られ、更に、当該光ディスクのバーコードが
光学的に読み取られる。
【００１８】
それら読み取られた内容判別情報とバーコードとに基づいて当該光ディスクの識別情報
が認識され、内容判別情報とバーコードとは記憶手段に記憶される。この後、ユーザは、
好みの再生環境で当該ＤＶＤを再生させたいため、再生環境情報を装置に対して設定する
。このとき、その再生環境情報は前記記憶手段に記憶される。このような処理により、当
該光ディスクの本編再生開始までの処理が完了し、前記設定された再生環境情報に従った
再生環境によって当該光ディスクの本編再生が可能となる。
【００１９】
再生が終了した当該光ディスクを再び装置に挿入して再生を行う際、即ち、当該の２回
目の再生を行う際、ディスク情報から内容判定情報が読み取られ、更に、当該光ディスク
のバーコードが読み取られる。そして、それら読み取られた内容判定情報とバーコードと
に基づいて当該光ディスクの識別情報が認識され、その識別情報が記憶手段に前回記憶さ
れた識別情報と一致した場合、前記記憶手段に前回記憶されている再生環境情報が、読み
出され、当該ＤＶＤの再生を行う際の再生環境情報として設定される。したがって、当該
光ディスクの２回目の再生は、記憶手段に前回記憶された再生環境情報に従った再生環境
で行われる。また、当該光ディスクの３回目以降の再生についても、同様に記憶手段に前
回記憶された再生環境情報に従った再生環境で行われる。
【００２０】
この構成によれば、内容判別情報と、更に追加されたバーコードとに基づいて当該光デ
ィスクの識別情報が認識されるので、ディスク識別精度が高まり、初めて再生する光ディ
スクに対する再生環境情報をディスク毎に確実に設定することができるようになり、光デ
ィスクを入れ替える度に再生環境情報を設定する手間を省くことができる。
【００２１】
請求項３の発明では、請求項２の発明において、内容判別情報とは、光ディスクがＤＶ
Ｄであった場合、全タイトル数および全チャプター数を含む情報であり、光ディスクがＣ
Ｄであった場合、全トラック数および全再生時間を含む情報であるので、光ディスクをデ
ィスク情報で識別することが可能になる。
【００２２】
請求項４の発明では、請求項２の発明において、バーコードを光学的に読み取るために
、透明部分を照射する発光素子と、前記透明部分を通過した光を受光する受光素子とを設
けたので、バーコードを光学的に読み取ることが可能になる。
【００２３】
請求項５の発明では、請求項２の発明において、システムコントローラは、光ディスク
がＤＶＤであり、このＤＶＤに対して初めて再生する際に、ディスク情報から全タイトル
数を読み取るタイトル数読取手段と、ディスク情報から全チャプター数を読み取るチャプ
ター数読取手段と、前記光ディスクがＣＤであり、このＣＤに対して初めて再生する際に
、ディスク情報から全トラック数を読み取るトラック数読取手段と、ディスク情報から全
再生時間を読み取る再生時間読取手段と、前記ＤＶＤまたは前記ＣＤの記録情報を再生す
る際に、前記受光素子からの信号によりバーコードを読み取るバーコード読取手段と、前
記光ディスクがＤＶＤである場合に、前記タイトル数読取手段により読み取られた全タイ
トル数と前記チャプター数読取手段により読み取られた全チャプター数と前記バーコード
読取手段により読み取られたバーコードとに基づいて当該ＤＶＤの識別情報を認識すると
共に、前記光ディスクがＣＤである場合に、前記トラック数読取手段により読み取られた
全トラック数と前記再生時間読取手段により読み取られた全再生時間と前記バーコード読
取手段により読み取られたバーコードとに基づいて当該ＣＤの識別情報を認識するディス
ク認識手段と、当該光ディスクに対して初めて再生を行う際に、ユーザにより設定された
再生環境に関する再生環境情報と前記ディスク認識手段により識別された結果の当該光デ
ィスクの識別情報とを記憶手段に記憶させる記憶処理手段と、当該光ディスクに対して２
回目以降の再生を行う際に、前記ディスク認識手段により認識された結果の識別情報と前
記記憶手段に記憶されている識別情報とが一致するか否かを判定する識別情報判定手段と
、前記判定結果が両識別情報の一致を示す場合に前記記憶手段から前記識別情報に対応す
る再生環境情報を読み出して当該光ディスクに対する２回目以降の再生環境情報として設
定する再生環境情報設定手段とを有するので、光ディスクがＤＶＤである場合は、全タイ
トル数と全チャプター数とバーコードとに基づいて当該ＤＶＤの識別情報を認識でき、光
ディスクがＣＤである場合は、全トラック数と全再生時間とバーコードとに基づいて当該
ＣＤの識別情報を認識でき、これにより、ディスク識別精度が高まり、初めて再生する光
ディスクに対する再生環境情報をディスク毎に確実に設定することができるようになる。
【発明の効果】
【００２４】
以上のように本発明によれば、光ディスクと略同形状であり、光ディスクの中央の透明
部分に対向した部分が透明となっており、この透明部分の半径方向に延びた長方形状の穴
が周方向に所定間隔で複数個形成された型枠を、光ディスクの記録面とは反対の面に張り
付け、前記長方形状の穴のうち選択された穴に黒色を塗って、光ディスクを識別するため
のバーコードが記入された光ディスクに対して、前記バーコードを光学的に読み取るため
に、前記透明部分を照射する発光素子と、前記透明部分を通過した光を受光する受光素子
とを設け、前記光ディスクがＤＶＤであり、このＤＶＤに対して初めて再生する際に、デ
ィスク情報から全タイトル数を読み取るタイトル数読取手段と、ディスク情報から全チャ
プター数を読み取るチャプター数読取手段と、前記光ディスクがＣＤであり、このＣＤに
対して初めて再生する際に、ディスク情報から全トラック数を読み取るトラック数読取手
段と、ディスク情報から全再生時間を読み取る再生時間読取手段と、前記ＤＶＤまたは前
記ＣＤの記録情報を再生する際に、前記受光素子からの信号によりバーコードを読み取る
バーコード読取手段と、前記光ディスクがＤＶＤである場合に、前記タイトル数読取手段
により読み取られた全タイトル数と前記チャプター数読取手段により読み取られた全チャ
プター数と前記バーコード読取手段により読み取られたバーコードとに基づいて当該ＤＶ
Ｄを識別すると共に、前記光ディスクがＣＤである場合に、前記トラック数読取手段によ
り読み取られた全トラック数と前記再生時間読取手段により読み取られた全再生時間と前
記バーコード読取手段により読み取られたバーコードとに基づいて当該ＣＤを識別するデ
ィスク認識手段と、当該光ディスクに対して初めて再生を行う際に、ユーザにより設定さ
れた再生環境に関する再生環境情報と前記ディスク認識手段により識別された結果の当該
光ディスクの識別情報とを記憶手段に記憶させる記憶処理手段と、当該光ディスクに対し
て２回目以降の再生を行う際に、前記ディスク認識手段により識別された結果の識別情報
と前記記憶手段に記憶されている識別情報とが一致するか否かを判定する識別情報判定手
段と、前記判定結果が両識別情報の一致を示す場合に前記記憶手段から前記識別情報に対
応する再生環境情報を読み出して当該光ディスクに対する２回目以降の再生環境情報とし
て設定する再生環境情報設定手段とを有するシステムコントローラを備えたので、光ディ
スクがＤＶＤである場合は、全タイトル数および全チャプター数と、更に追加されたバー
コードとに基づいて当該ＤＶＤの識別情報を認識でき、光ディスクがＣＤである場合は、
全トラック数および全再生時間と、更に追加されたバーコードとに基づいて当該ＣＤの識
別情報を認識でき、これにより、同じタイトル数および同じチャプター数のＤＶＤであっ
ても識別が可能で、また、同じトラック数および同じ再生時間のＣＤであっても識別が可
能になり、したがって、ディスク識別精度が高まり、初めて再生する光ディスクに対する
再生環境情報をディスク毎に確実に設定することができるようになり、光ディスクを入れ
替える度に再生環境情報を設定する手間を省くことができる。
【００２５】
また、本発明によれば、光ディスクに記録された情報を再生する光ディスク再生装置に
おいて、光ディスクと略同形状であり、光ディスクの中央の透明部分に対向した部分が透
明となっており、この透明部分の半径方向に延びた長方形状の穴が周方向に所定間隔で複
数個形成された型枠を、光ディスクの記録面とは反対の面に張り付け、前記長方形状の穴
のうち選択された穴に黒色を塗って、光ディスクを識別するためのバーコードが記入され
た光ディスクに対して、初めて再生する際に、記録情報の内容を判別するために用いるこ
とが可能な内容判別情報をディスク情報から読み取ると共に前記バーコードを光学的に読
み取り、前記内容判別情報と前記バーコードとを記憶手段に記憶させると共に、ユーザに
より設定された再生環境情報を前記記憶手段に記憶させ、当該光ディスクに対して２回目
以降の再生を行う際に、当該光ディスクから読み出された内容判別情報および当該型枠の
バーコードと前記記憶手段に記憶されている内容判別情報およびバーコードとがそれぞれ
一致した場合に、前記記憶手段から再生環境情報を読み出して当該光ディスクに対する２
回目以降の再生設定情報として設定するシステムコントローラを備えたので、内容判別情
報と、更に追加されたバーコードとに基づいて当該光ディスクの識別情報を認識でき、こ
れにより、ディスク識別精度が高まり、初めて再生する光ディスクに対する再生環境情報
をディスク毎に確実に設定することができるようになり、光ディスクを入れ替える度に再
生環境情報を設定する手間を省くことができる。
【００２６】
特に、このような光ディスク再生装置を自動車に搭載した場合、運転者などが再生環境
を１回目の再生の際に光ディスク毎に一度設定しておけば、２回目からは再生環境を設定
する必要がないので、運転者などの手間が省け、運転の安全性も向上し、かなり効果的で
ある。
【発明を実施するための最良の形態】
【００２７】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２８】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２９】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００３０】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００３１】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００３２】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００３３】
システムコントローラ２２は、本実施形態の特徴とする構成要素として、光ディスク１
がＤＶＤであり、このＤＶＤに対して初めて再生する際に、ディスク情報から全タイトル
数を読み取るタイトル数読取手段２２１と、ディスク情報から全チャプター数を読み取る
チャプター数読取手段２２２と、光ディスク１がＣＤであり、このＣＤに対して初めて再
生する際に、ディスク情報から全トラック数を読み取るトラック数読取手段２２３と、デ
ィスク情報から全再生時間を読み取る再生時間読取手段２２４と、前記ＤＶＤまたは前記
ＣＤの記録情報を再生する際に、前記受光素子からの信号によりバーコードを読み取るバ
ーコード読取手段２２５とを有している。
【００３４】
また、システムコントローラ２２は、光ディスク１がＤＶＤである場合に、タイトル数
読取手段２２１により読み取られた全タイトル数とチャプター数読取手段２２２により読
み取られた全チャプター数とバーコード読取手段２２５により読み取られたバーコードと
に基づいて当該ＤＶＤの識別情報を認識すると共に、光ディスク１がＣＤである場合に、
トラック数読取手段２２３により読み取られた全トラック数と再生時間読取手段２２４に
より読み取られた全再生時間とバーコード読取手段２２５により読み取られたバーコード
とに基づいて当該ＣＤの識別情報を認識するディスク認識手段２２６とを有している。
【００３５】
また、システムコントローラ２２は、光ディスク１に対して初めて再生を行う際に、ユ
ーザにより設定された再生環境に関する再生環境情報とディスク認識手段２２６により識
別された結果の光ディスク１の識別情報とをフラッシュＲＯＭ２３に記憶させる記憶処理
手段２２７と、光ディスク１に対して２回目以降の再生を行う際に、ディスク認識手段２
２６により認識された結果の識別情報とフラッシュＲＯＭ２３に記憶されている識別情報
とが一致するか否かを判定する識別情報判定手段２２８と、前記判定結果が両識別情報の
一致を示す場合にフラッシュＲＯＭ２３から前記識別情報に対応する再生環境情報を読み
出して光ディスク１に対する２回目以降の再生環境情報として設定する再生環境情報設定
手段２２９とを有している。
【００３６】
図２は本実施形態においてバーコードが記入される型枠を示す上面図である。図３は図
２に示す型枠の透明部分を示す上面図である。図２および図３において、３０は、光ディ
スクと略同形状であり、光ディスクの中央の透明部分に対向した部分が透明となっており
、この透明部分３２の半径方向に延びた長方形状の穴Ｈ０〜Ｈ１１が周方向に所定間隔で
複数個形成された型枠である。３１は、光ディスクの中心部に設けらたケース収納セット
用の孔に対向して設けられた孔であり、光ディスクをケースに収納するときにケースの中
心にある係止部に入るように設けられている。なお、このような型枠は、光ディスクの付
属品として付けられている。
【００３７】
図４は本実施形態において型枠が光ディスクに貼り付けられた状態の一部を示す断面図
である。図５は本実施形態において型枠が光ディスクに貼り付けられた状態で型枠の穴に
黒色が塗られた様子の一部を示す断面図である。図４において、３２は型枠の透明部分を
示し、１ａは光ディスクの中央の透明部分の一部を示す。Ｈは透明部分３２に形成された
長方形状の１つの穴を示す。図５において、Ｂは透明部分３２に形成された長方形状の穴
Ｈの底面に黒色のマジックペンなどで塗られた黒色を示す。
【００３８】
図６は本実施形態において型枠のバーコードを読み取るための発光素子と受光素子を示
すと共に型枠と光ディスクとの一部を示す断面図である。図７は同じく本実施形態におい
て型枠のバーコードを読み取るための発光素子と受光素子を示すと共に型枠と光ディスク
との一部を示す断面図である。
【００３９】
図６および図７において、４１は赤外光を出射する発光素子であり、４２は発光素子か
らの赤外光を受光する受光素子である。図６では、型枠の透明部分３２に形成されている
穴Ｈには黒色が塗られていない状態を示し、この場合は発光素子４１からの赤外光は、光
ディスクの透明部分１ａおよび型枠の透明部分３２の穴Ｈを通過し、受光素子４２で受光
される様子を示している。図７では、型枠の透明部分３２に形成されている穴Ｈに黒色が
塗られている状態を示し、この場合は発光素子４１からの赤外光は、型枠の透明部分３２
の穴Ｈに塗られた黒色Ｂによって遮断され、受光素子４２には届いていない様子を示して
いる。
【００４０】
図８は、図３に示す型枠の透明部分における特定の穴に黒色が塗られた状態を示す透明
部分の上面図である。図８において、３１は、図３でも説明したように、光ディスクの中
心部に設けらたケース収納セット用の孔に対向して設けられた孔である。型枠の透明部分
３２には、半径方向に延びた長方形状の穴Ｈ０〜Ｈ１１が周方向に所定間隔で複数個形成
されている。そして、この図８の例では、穴Ｈ０と穴Ｈ３に黒色が塗られている。穴Ｈ０
はバーコードの基準となる位置であり、この位置を「０」とすると、穴Ｈ３は「３」とな
る。したがって、この例の場合、バーコードは「３」と認識される。
【００４１】
図９は本実施形態において初めてのＤＶＤに対して本編情報の再生を行うまでの処理を
説明するためのフローチャートである。このフローチャートを参照して初めてのＤＶＤに
対して本編情報の再生を行うまでの処理を説明する。
【００４２】
再生しようとするＤＶＤに型枠を貼り付け、当該ＤＶＤに固有のバーコードを持たせる
ため、ユーザは選択した長方形状の穴に黒色を塗ってバーコード（例えば「３」）を記入
して、このバーコードが記入された当該ＤＶＤを装置に挿入し（ステップＳ１）、当該Ｄ
ＶＤに対する再生処理を開始させる。
【００４３】
再生処理が開始すると、当該ＤＶＤのディスク情報から全タイトル数（例えば「２８」
）をタイトル数読取手段２２１により読み取り（ステップＳ２）、全チャプター数（例え
ば「５７」）をチャプター数読取手段２２２により読み取る（ステップＳ３）。更に、受
光素子４２からの信号を受信するバーコード読取手段２２５によって、当該ＤＶＤのバー
コード（例えば「３」）を読み取る（ステップＳ４）。
【００４４】
次に、ディスク認識手段２２６は、それら読み取られた全タイトル数と全チャプター数
とバーコードとに基づく当該ＤＶＤの個別番号（例えばＤＶＤ−２８−５７−３）をディ
スク識別情報として認識し、記憶処理手段２２７は、その個別番号をフラッシュＲＯＭ２
３に記憶させる（ステップＳ５）。この後、ユーザは、好みの再生環境（例えば映画の日
本語吹き替え）で当該ＤＶＤを再生させたいため、その再生環境情報を装置に対して設定
する。このとき、記憶処理手段２２７は、その再生環境情報をフラッシュＲＯＭ２３に記
憶させる（ステップＳ６）。
【００４５】
そして、ユーザが設定した前記再生環境情報に従った再生環境によって当該ＤＶＤの本
編再生が開始し（ステップＳ７）、再生が終了すると（ステップＳ８）、ユーザによって
装置の電源がオフされる（ステップＳ９）。
【００４６】
図１０は本実施形態において２回目以降のＤＶＤに対して本編情報の再生を行うまでの
処理を説明するためのフローチャートである。このフローチャートを参照して２回目のＤ
ＶＤに対して本編情報の再生を行うまでの処理を説明する。
【００４７】
前記初めてのＤＶＤに対する再生が終了した後、当該ＤＶＤを装置から取り出し、当該
ＤＶＤを再び装置に挿入して（ステップＳ１１）再生を行う際、即ち、当該ＤＶＤの２回
目の再生を行う際、タイトル数読取手段２２１により、ディスク情報から全タイトル数（
例えば「２８」）を読み取り（ステップＳ１２）、チャプター数読取手段２２２により全
チャプター数（例えば「５７」）を読み取り（ステップＳ１３）、更に、当該ＤＶＤのバ
ーコード（例えば「３」）をバーコード読取手段２２５により読み取る（ステップＳ１４
）。
【００４８】
そして、ディスク認識手段２２６は、それら読み取られた全タイトル数と全チャプター
数とバーコードとに基づく当該ＤＶＤの個別番号（例えばＤＶＤ−２８−５７−３）をデ
ィスク識別情報として認識し（ステップＳ１５）、次に、識別情報判定手段２２８は、フ
ラッシュＲＯＭ２３に前回記憶された識別番号と一致するか否かを判定する（ステップＳ
１６）。
【００４９】
なお、ステップＳ１６において両個別番号が一致しないと判定された場合は、初めての
ＤＶＤに対しての処理へ移る（ステップＳ２１）。即ち、図９のステップＳ５において、
全タイトル数と全チャプター数とバーコードとに基づく当該ＤＶＤの個別番号（例えばＤ
ＶＤ−２８−５７−３）をフラッシュＲＯＭ２３に記憶させる処理に移り、その後は同様
な処理を行う。
【００５０】
両個別番号が一致した場合、再生環境情報設定手段２２９は、フラッシュＲＯＭ２３に
前回記憶されている再生環境情報を読み出し、この再生環境情報を当該ＤＶＤの再生を行
う際の再生環境情報として設定する。即ち、前回と同じＤＶＤに対する２回目の再生環境
は、フラッシュＲＯＭ２３からの再生環境情報に従った前回のユーザ設定による再生環境
に復帰する（ステップＳ１７）。
【００５１】
そして、ユーザが前回設定した再生環境情報に従った再生環境によって当該ＤＶＤの本
編再生が開始し（ステップＳ１８）、再生が終了すると（ステップＳ１９）、ユーザによ
って装置の電源がオフされる（ステップＳ２０）。
【００５２】
このように、当該ＤＶＤの２回目の再生は、フラッシュＲＯＭ２３に前回記憶された再
生環境情報に従った再生環境で行われる。また、当該ＤＶＤの３回目以降の再生について
も、同様にフラッシュＲＯＭ２３に前回記憶された再生環境情報に従った再生環境で行わ
れる。
【００５３】
図１１は本実施形態において初めてのＣＤに対して本編情報の再生を行うまでの処理を
説明するためのフローチャートである。このフローチャートを参照して初めてのＣＤに対
して本編情報の再生を行うまでの処理を説明する。
【００５４】
再生しようとするＣＤに型枠を貼り付け、当該ＣＤに固有のバーコードを持たせるため
、ユーザは選択した長方形状の穴に黒色を塗ってバーコード（例えば「５」）を記入して
、このバーコードが記入された当該ＣＤを装置に挿入し（ステップＮ１）、当該ＣＤに対
する再生処理を開始させる。
【００５５】
再生処理が開始すると、当該ＣＤのディスク情報から全トラック数（例えば「１２」）
をトラック数読取手段２２３により読み取り（ステップＮ２）、全再生時間（例えば「５
８」）を再生時間読取手段２２４により読み取る（ステップＮ３）。更に、受光素子４２
からの信号を受信するバーコード読取手段２２５によって、当該ＣＤのバーコード（例え
ば「５」）を読み取る（ステップＮ４）。
【００５６】
次に、ディスク認識手段２２６は、それら読み取られた全トラック数と全再生時間とバ
ーコードとに基づく当該ＣＤの個別番号（例えばＣＤ−１２−５８−５）をディスク識別
情報として認識し、記憶処理手段２２７は、その個別番号をフラッシュＲＯＭ２３に記憶
させる（ステップＮ５）。この後、ユーザは、好みの再生環境（例えばお気に入りの曲だ
け再生できるようにするプログラム）で当該ＣＤを再生させたいため、その再生環境情報
を装置に対して設定する。このとき、記憶処理手段２２７は、その再生環境情報をフラッ
シュＲＯＭ２３に記憶させる（ステップＮ６）。
【００５７】
そして、ユーザが設定した前記再生環境情報に従った再生環境によって当該ＣＤの本編
再生が開始し（ステップＮ７）、再生が終了すると（ステップＮ８）、ユーザによって装
置の電源がオフされる（ステップＮ９）。
【００５８】
図１２は本実施形態において２回目以降のＣＤに対して本編情報の再生を行うまでの処
理を説明するためのフローチャートである。このフローチャートを参照して２回目のＣＤ
に対して本編情報の再生を行うまでの処理を説明する。
【００５９】
前記初めてのＣＤに対する再生が終了した後、当該ＣＤを装置から取り出し、当該ＣＤ
を再び装置に挿入して（ステップＮ１１）再生を行う際、即ち、当該ＣＤの２回目の再生
を行う際、トラック数読取手段２２３により、ディスク情報から全トラック数（例えば「
１２」）を読み取り（ステップＮ１２）、再生時間読取手段２２４により全再生時間（例
えば「５８」）を読み取り（ステップＮ１３）、更に、当該ＣＤのバーコード（例えば「
５」）をバーコード読取手段２２５により読み取る（ステップＮ１４）。
【００６０】
そして、ディスク認識手段２２６は、それら読み取られた全トラック数と全再生時間と
バーコードとに基づく当該ＣＤの個別番号（例えばＣＤ−１２−５８−５）をディスク識
別情報として認識し（ステップＮ１５）、次に、識別情報判定手段２２８は、フラッシュ
ＲＯＭ２３に前回記憶された識別番号と一致するか否かを判定する（ステップＮ１６）。
【００６１】
なお、ステップＮ１６において両個別番号が一致しないと判定された場合は、初めての
ＣＤに対しての処理へ移る（ステップＮ２１）。即ち、図１１のステップＮ５において、
全トラック数と全再生時間とバーコードとに基づく当該ＣＤの個別番号（例えばＣＤ−１
２−５８−５）をフラッシュＲＯＭ２３に記憶させる処理に移り、その後は同様な処理を
行う。
【００６２】
両個別番号が一致した場合、再生環境情報設定手段２２９は、フラッシュＲＯＭ２３に
前回記憶されている再生環境情報を読み出し、この再生環境情報を当該ＣＤの再生を行う
際の再生環境情報として設定する。即ち、前回と同じＣＤに対する２回目の再生環境は、
フラッシュＲＯＭ２３からの再生環境情報に従った前回のユーザ設定による再生環境に復
帰する（ステップＮ１７）。
【００６３】
そして、ユーザが前回設定した再生環境情報に従った再生環境によって当該ＣＤの本編
再生が開始し（ステップＮ１８）、再生が終了すると（ステップＮ１９）、ユーザによっ
て装置の電源がオフされる（ステップＮ２０）。
【００６４】
このように、当該ＣＤの２回目の再生は、フラッシュＲＯＭ２３に前回記憶された再生
環境情報に従った再生環境で行われる。また、当該ＣＤの３回目以降の再生についても、
同様にフラッシュＲＯＭ２３に前回記憶された再生環境情報に従った再生環境で行われる
。
【００６５】
なお、再生環境情報としては、ＤＶＤに記録されている映画を再生する場合では、映像
に関する画質調整やブライト調整あるいは字幕の言語（例えば日本語または英語）の選択
、音声に関する音質調整や音量調整あるいは発声言語の選択などを行うための再生環境情
報、また、ＣＤに記録されている音楽を再生する場合では、聴きたい音楽の選択、音声に
関する音質調整や音量調整あるいは歌の発声言語の選択などを行うための再生環境情報が
ある。
【００６６】
以上説明した実施形態によれば、光ディスクがＤＶＤである場合は、内容判別情報であ
る全タイトル数および全チャプター数と、更に追加されたバーコードとに基づいて当該Ｄ
ＶＤの個別番号が認識され、光ディスクがＣＤである場合は、内容判別情報である全トラ
ック数および全再生時間と、更に追加されたバーコードとに基づいて当該ＣＤの個別番号
が認識されるので、同じタイトル数および同じチャプター数のＤＶＤであっても識別が可
能で、また、同じトラック数および同じ再生時間のＣＤであっても識別が可能になり、こ
れにより、ディスク識別精度が高まり、初めて再生する光ディスクに対する再生環境情報
をディスク毎に確実に設定することができるようになり、光ディスクを入れ替える度に再
生環境情報を設定する手間を省くことができる。
【００６７】
なお、特に、このような光ディスク再生装置を自動車に搭載した場合、運転者などが再
生環境を１回目の再生の際に光ディスク毎に一度設定しておけば、２回目からは再生環境
を設定する必要がないので、運転者などの手間が省け、運転の安全性も向上し、かなり効
果的である。
【図面の簡単な説明】
【００６８】
【図１】本発明の一実施形態に係る光ディスク再生装置の構成を示すブロック図である。
【図２】前記実施形態においてバーコードが記入される型枠を示す上面図である。
【図３】図２に示す型枠の透明部分を示す上面図である。
【図４】前記実施形態において型枠が光ディスクに貼り付けられた状態の一部を示す断面図である。
【図５】前記実施形態において型枠が光ディスクに貼り付けられた状態で型枠の穴に黒色が塗られた様子の一部を示す断面図である。
【図６】前記実施形態において型枠のバーコードを読み取るための発光素子と受光素子を示すと共に型枠と光ディスクとの一部を示す断面図である。
【図７】前記実施形態において型枠のバーコードを読み取るための発光素子と受光素子を示すと共に型枠と光ディスクとの一部を示す断面図である。
【図８】図３に示す型枠の透明部分における特定の穴に黒色が塗られた状態を示す透明部分の上面図である。
【図９】前記実施形態において初めてのＤＶＤに対して本編情報の再生を行うまでの処理を説明するためのフローチャートである。
【図１０】前記実施形態において２回目以降のＤＶＤに対して本編情報の再生を行うまでの処理を説明するためのフローチャートである。
【図１１】前記実施形態において初めてのＣＤに対して本編情報の再生を行うまでの処理を説明するためのフローチャートである。
【図１２】前記実施形態において２回目以降のＣＤに対して本編情報の再生を行うまでの処理を説明するためのフローチャートである。
【符号の説明】
【００６９】
１    光ディスク
２２    システムコントローラ
２３    フラッシュＲＯＭ（記憶手段）
３０    型枠
３２    透明部分
２２１    タイトル数読取手段
２２２    チャプター数読取手段
２２３    トラック数読取手段
２２４    再生時間読取手段
２２５    バーコード読取手段
２２６    ディスク認識手段
２２７    記憶処理手段
２２８    識別情報判定手段
Ｈ０〜Ｈ１１    長方形状の穴
【図１】
2005190578.tif 000003
【図２】
2005190578.tif 000004
【図３】
2005190578.tif 000005
【図４】
2005190578.tif 000006
【図５】
2005190578.tif 000007
【図６】
2005190578.tif 000008
【図７】
2005190578.tif 000009
【図８】
2005190578.tif 000010
【図９】
2005190578.tif 000011
【図１０】
2005190578.tif 000012
【図１１】
2005190578.tif 000013
【図１２】
2005190578.tif 000014